(57)【特許請求の範囲】
【請求項１】
開かれた位置および閉じられた位置を有する無線通信装置であって、
第１の空洞を備えたカバー、
第２の空洞を備えた本体部、
前記カバーおよび前記本体部をある軸に沿って結合するヒンジであって、
前記第２の空洞内に配置されかつ前記本体部に固定され、レッグ部上に出っ張り部分を有する細長い形状のリーフばね、そして
前記第１の空洞および前記第２の空洞内に配置されかつ前記カバーに回転可能に固定されたカムであって、該カムは前記リーフばねおよび前記第２の空洞と回転可能にスライドできるよう接触する表面を有し、前記カムはさらに前記表面上に配置された軸方向により短い短いローブおよび軸方向により長い長いローブを有し、前記短いローブおよび長いローブは前記開かれた位置における前記カバーの角度に対応する角度で放射方向に間隔を開けて配置されているもの、
を含み、前記短いローブおよび前記リーフばねの出っ張り部分は前記リーフばねの力によって前記カバーを閉じられた位置に固定し、かつ前記長いローブおよび前記リーフばねの出っ張り部分は前記リーフばねの力によって前記カバーを開かれた位置に固定する、
前記ヒンジ、および
前記軸に沿って整列されかつ前記カバーおよび前記本体部と接触した開放機構であって、該開放機構は前記カバーを閉じられた位置から開かれた位置へ付勢するもの、
を具備し、無線通信装置のユーザが前記カムを前記第２の空洞から軸方向に付勢した時、前記短いローブは前記リーフばねの出っ張り部分から離れ、したがって前記開放機構が前記カバーを閉じられた位置から開かれた位置へ開放することを特徴とする無線通信装置。
【請求項２】
前記開放機構はさらに前記カバーを開かれた位置に付勢することを特徴とする、請求項１に記載の無線通信装置。
【請求項３】
前記長いローブ、前記出っ張り、および前記開放機構は前記カバーを開かれた位置に固定することを特徴とする、請求項２に記載の無線通信装置。
【請求項４】
前記開放機構は、
前記カバーに回転可能に固定されかつ前記本体部と回転不能に固定されたシャフト、そして
前記シャフトの回りを回転させて前記カバーを前記閉じられた位置から付勢する手段であって、前記カバーを閉じられた位置から付勢する該手段は２つの端部を有し、一端は回転可能に前記シャフトに固定されかつ他端は回転可能に前記カバーに固定されているもの、
を具備することを特徴とする、請求項１に記載の無線通信装置。
【請求項５】
前記カバーを閉じられた位置から付勢する手段はトーションばねであることを特徴とする、請求項４に記載の無線通信装置。
【請求項６】
前記無線通信装置は無線電話であることを特徴とする、請求項１に記載の無線通信装置。
【請求項７】
開かれた位置および閉じられた位置を有する無線通信装置であって、
第１の空洞を備えたカバー、
第２の空洞を備えた本体部、
前記カバーおよび前記本体部をある軸に沿って結合するヒンジであって、
前記第２の空洞内に配置されかつ前記本体部に固定され、レッグ部上に出っ張り部分を有する細長い形状のリーフばね、そして
前記第１の空洞および前記第２の空洞内に配置されかつ前記カバーに回転可能に固定されたカムであって、該カムは前記リーフばねおよび前記第２の空洞と回転可能にスライドできるよう接触する表面を有し、前記カムはさらに前記表面上に配置された軸方向により短い短いローブおよび軸方向により長い長いローブを有し、前記短いローブおよび長いローブは前記開かれた位置における前記カバーの角度に対応する角度で放射方向に間隔を開けて配置され、前記カムは第１の空洞および前記第２の空洞内に軸方向にスライド可能であるもの、
を含み、前記短いローブおよび前記リーフばねの出っ張り部分は前記リーフばねの力によって前記カバーを閉じられた位置に固定し、かつ前記長いローブおよび前記リーフばねの出っ張り部分は前記リーフばねの力によって前記カバーを開かれた位置に固定する、
前記ヒンジ、
前記軸に沿って整列されかつ前記カバーおよび前記本体部と接触した開放機構であって、該開放機構は前記カバーを閉じられた位置から開かれた位置へ付勢するもの、
前記カムと前記カバーの間に前記第１の空洞内に配置され、前記カムを軸方向に前記第２の空洞内に付勢する手段、そして
前記カムと接触し、前記カムを前記第２の空洞から軸方向に付勢する手段、
を具備し、無線通信装置のユーザが前記カムを前記第２の空洞から軸方向に付勢する手段を作動させた時、前記短いローブは前記出っ張り部分から離れ、したがって前記カバーを前記閉じられた位置から解除し、前記開放機構が前記カバーを閉じられた位置から開かれた位置へ開放することを特徴とする無線通信装置。
【請求項８】
前記カムを前記第２の空洞内へ軸方向に付勢する手段は圧縮ばねであることを特徴とする、請求項７に記載の無線通信装置。
【請求項９】
前記カムを前記第２の空洞から軸方向に付勢する手段はボタンであることを特徴とする、請求項７に記載の無線通信装置。
【請求項１０】
開かれた位置および閉じられた位置を有する無線電話であって、
第１の空洞を備えたカバー、
第２の空洞を備えた本体部、
前記カバーおよび前記本体部をある軸に沿って結合するヒンジであって、
前記第２の空洞内に配置されかつ前記本体部に固定され、レッグ部上に出っ張り部分を有する細長い形状のリーフばね、そして
前記第１の空洞および前記第２の空洞内に配置されかつ前記カバーに回転可能に固定されたカムであって、該カムは前記リーフばねおよび前記第２の空洞と回転可能にスライドできるよう接触する表面を有し、前記カムはさらに前記表面上に配置された軸方向により短い短いローブおよび軸方向により長い長いローブを有し、前記短いローブおよび長いローブは前記開かれた位置における前記カバーの角度に対応する角度で放射方向に間隔を開けて配置されているもの、
を含み、前記短いローブおよび前記リーフばねの出っ張り部分は前記リーフばねの力によって前記カバーを閉じられた位置に固定し、かつ前記長いローブおよび前記リーフばねの出っ張り部分は前記リーフばねの力によって前記カバーを開かれた位置に固定し、前記カムは前記第１の空洞および前記第２の空洞内に軸方向にスライド可能である、
前記ヒンジ、
前記カムと前記カバーの間に前記第１の空洞内に配置された圧縮ばね、
前記カムと接触するボタンであって、前記無線電話のユーザが前記ボタンを作動させた時、前記カムが軸方向にスライドすることにより前記短いローブが前記出っ張り部分から離れしたがって前記カバーを前記閉じられた位置から解除するもの、
前記カバーに回転可能に固定されかつ前記本体部と回転不能に固定されたシャフト、そして
２つの端部を有するトーションばねであって、一端は回転可能に前記シャフトに固定されかつ他端は回転可能に前記カバーに固定され、前記トーションばねは前記カバーを閉じられた位置から開かれた位置へと付勢し、かつ前記長いローブおよび前記リーフばねの出っ張り部分によって前記カバーが前記開かれた位置に固定されるもの、
を具備することを特徴とする無線電話。
【発明の詳細な説明】
【０００１】
【発明の属する技術分野】
本発明は一般的には無線通信装置の分野に関し、かつより特定的には折りたたみ可能な、無線通信装置に関する。
【０００２】
【従来の技術】
無線通信装置のユーザは事実上任意の位置で無線システムによって電話により通信する。携帯用無線通信装置は低電力の無線周波信号を受信装置に送信する。無線通信装置の例はベースステーションと通信する携帯用無線電話であり、該ベースステーションは、公衆電話サービスネットワーク（Ｐｕｂｌｉｃ  Ｔｅｌｅｐｈｏｎｅ  Ｓｅｒｖｉｃｅ  Ｎｅｔｗｏｒｋ）のような、伝統的な陸線システムと接続することができる。
【０００３】
ヒンジによってある軸に沿って結合された２つのハウジングを有し該ヒンジはハウジングをお互いに対し折りたたむことができるようにした携帯用無線電話が技術的に知られている。いくつかの知られた折りたたみ無線電話は大部分の電子回路を、本体部と呼ばれる、一方のハウジング内に有する。カバーと称される、他方のハウジングは通常前記本体部より少ない電子部品を含む。閉じられた位置では、カバーは本体部の上に折りたたまれる。開かれた位置では、カバーは本体部に対し鈍角をなしている。
【０００４】
１つの形式の折りたたみ無線電話はカバーを閉じられた位置から開かれた位置に移動させるために軸と整列してトーションばねを有するヒンジを使用する。カバーを本体に固定しかつトーションばねの力に抗するために該無線電話は必然的に本体にカバーをロックするため回転軸から遠くにラッチを有する。また、トーションばねの力を打ち消すために、前記ラッチとは独立のストッパエレメントがカバーを開かれた位置に保持するために必要とされる。この種の携帯用無線電話においては、ユーザは、例えば、ボタンを押すために一方の手を使用して、ラッチを作動させトーションばねがカバーを開かれた位置に回転させることができるようにカバーを開放することを要求される。ユーザはカバーを開放するためにラッチを使用しなければならず、さもなければユーザが両手を使用してカバーを閉じられた位置から手動により強制的に移動させたときラッチは破壊されるであろう。
【０００５】
他の種類の知られた折りたたみ式無線電話はカバーの一端に形成された管状ヒンジアーム内に配置されたヒンジピンおよびばねを有するヒンジ、および本体内に形成されたブッシングを使用する。前記ばねはヒンジピンの間に配置されかつ常にヒンジピンをカバーから本体へ、回転軸に沿って、外側に押しやる。この種の折りたたみ式無線電話においては、ヒンジ機構はラッチを使用することなくカバーを閉じられた位置に留めるよう付勢する。従って、このヒンジ機構はラッチに関連する不都合を持たない。しかしながら、カバーを閉じられた位置から開放するためには、カバーを閉じられた位置から開放するのにボタンを押圧するために片手を使用するのではなく、ユーザはカバーを閉じられた位置に保持しているばねの力を手動により克服しなければならない。これは通常ユーザの両手を必要とする。そのような知られた無線電話の例はＰＣＴ公報第ＷＯ  ９３／１８５９２号、９月１６日発行、に記載されている。
【０００６】
【発明が解決しようとする課題】
いくつかの折りたたみ式無線電話にとっては適切であるかもしれないが、そのような知られたヒンジは折りたたみ可能な無線電話または無線通信装置のすべてのユーザにとって適切なものではない。ボタン作動式のラッチを使用して片手で開くことができる種類の折りたたみ式無線電話においては、該無線電話は軸方向のばね負荷ヒンジが提供する利点、例えば、ラッチに関連する問題の除去、を提供しない。さらに、無線電話の超小型化の進展にともない、回転軸の末端にラッチを収容するためハウジングにおけるスペースが少なくなる。従って、知られた折りたたみ式通信装置はいずれもカバーを開放するためにボタン作動式のラッチを使用する便利さ、カバーを開放するためにボタン作動式のラッチを使用するかまたは手動でカバーを開くかについてのユーザのオプション、およびコンパクトな設計の利点を組合わせ有するものではない。
【０００７】
従って、解除機構によって容易に開くことができるが、伝統的なラッチに関連する不都合をもたない無線通信装置の必要性が存在する。
【０００８】
【課題を解決するための手段】
本発明によれば、開かれた位置および閉じられた位置を有する無線通信装置が提供され、該無線装置は、第１の空洞を備えたカバー、第２の空洞を備えた本体部、前記カバーおよび前記本体部をある軸に沿って結合するヒンジであって、前記第２の空洞内に配置されかつ前記本体部に固定され、レッグ部上に出っ張り部分を有する細長い形状のリーフばね、そして前記第１の空洞および前記第２の空洞内に配置されかつ前記カバーに回転可能に固定されたカムであって、該カムは前記リーフばねおよび前記第２の空洞と回転可能にスライドできるよう接触する表面を有し、前記カムはさらに前記表面上に配置された軸方向により短い短いローブおよび軸方向により長い長いローブを有し、前記短いローブおよび長いローブは前記開かれた位置における前記カバーの角度に対応する角度で放射方向に間隔を開けて配置されているもの、を含み、前記短いローブおよび前記リーフばねの出っ張り部分は前記リーフばねの力によって前記カバーを閉じられた位置に固定し、かつ前記長いローブおよび前記リーフばねの出っ張り部分は前記リーフばねの力によって前記カバーを開かれた位置に固定する、前記ヒンジ、および前記軸に沿って整列されかつ前記カバーおよび前記本体部と接触した開放機構であって、該開放機構は前記カバーを閉じられた位置から開かれた位置へ付勢するもの、を具備し、無線通信装置のユーザが前記カムを前記第２の空洞から軸方向に付勢した時、前記短いローブは前記リーフばねの出っ張り部分から離れ、したがって前記開放機構が前記カバーを閉じられた位置から開かれた位置へ開放することを特徴とする。
【０００９】
この場合、前記開放機構はさらに前記カバーを開かれた位置に付勢するよう構成することができる。
【００１０】
また、前記長いローブ、前記出っ張り、および前記開放機構は前記カバーを開かれた位置に固定するものとすることができる。
【００１１】
さらに、前記開放機構は、前記カバーに回転可能に固定されかつ前記本体部と回転不能に固定されたシャフト、そして前記シャフトの回りを回転させて前記カバーを前記閉じられた位置から付勢する手段であって、前記カバーを閉じられた位置から付勢する該手段は２つの端部を有し、一端は回転可能に前記シャフトに固定されかつ他端は回転可能に前記カバーに固定されているものから構成することもできる。
【００１２】
この場合、前記カバーを閉じられた位置から付勢する手段はトーションばねとすることができる。
【００１３】
また、前記無線通信装置は無線電話とすることができる。
【００１４】
さらに、開かれた位置および閉じられた位置を有する無線通信装置が提供され、該無線装置は、第１の空洞を備えたカバー、第２の空洞を備えた本体部、前記カバーおよび前記本体部をある軸に沿って結合するヒンジであって、前記第２の空洞内に配置されかつ前記本体部に固定され、レッグ部上に出っ張り部分を有する細長い形状のリーフばね、そして前記第１の空洞および前記第２の空洞内に配置されかつ前記カバーに回転可能に固定されたカムであって、該カムは前記リーフばねおよび前記第２の空洞と回転可能にスライドできるよう接触する表面を有し、前記カムはさらに前記表面上に配置された軸方向により短い短いローブおよび軸方向により長い長いローブを有し、前記短いローブおよび長いローブは前記開かれた位置における前記カバーの角度に対応する角度で放射方向に間隔を開けて配置され、前記カムは第１の空洞および前記第２の空洞内に軸方向にスライド可能であるもの、を含み、前記短いローブおよび前記リーフばねの出っ張り部分は前記リーフばねの力によって前記カバーを閉じられた位置に固定し、かつ前記長いローブおよび前記リーフばねの出っ張り部分は前記リーフばねの力によって前記カバーを開かれた位置に固定する、前記ヒンジ、前記軸に沿って整列されかつ前記カバーおよび前記本体部と接触した開放機構であって、該開放機構は前記カバーを閉じられた位置から開かれた位置へ付勢するもの、前記カムと前記カバーの間に前記第１の空洞内に配置され、前記カムを軸方向に前記第２の空洞内に付勢する手段、そして前記カムと接触し、前記カムを前記第２の空洞から軸方向に付勢する手段、を具備し、無線通信装置のユーザが前記カムを前記第２の空洞から軸方向に付勢する手段を作動させた時、前記短いローブは前記出っ張り部分から離れ、したがって前記カバーを前記閉じられた位置から解除し、前記開放機構が前記カバーを閉じられた位置から開かれた位置へ開放すると好都合である。
【００１５】
この場合、前記カムを前記第２の空洞内へ軸方向に付勢する手段は圧縮ばねとすることができる。
【００１６】
また、前記カムを前記第２の空洞から軸方向に付勢する手段はボタンとすることができる。
【００１７】
さらに、開かれた位置および閉じられた位置を有する無線電話が提供され、該無線電話は、第１の空洞を備えたカバー、第２の空洞を備えた本体部、前記カバーおよび前記本体部をある軸に沿って結合するヒンジであって、前記第２の空洞内に配置されかつ前記本体部に固定され、レッグ部上に出っ張り部分を有する細長い形状のリーフばね、そして前記第１の空洞および前記第２の空洞内に配置されかつ前記カバーに回転可能に固定されたカムであって、該カムは前記リーフばねおよび前記第２の空洞と回転可能にスライドできるよう接触する表面を有し、前記カムはさらに前記表面上に配置された軸方向により短い短いローブおよび軸方向により長い長いローブを有し、前記短いローブおよび長いローブは前記開かれた位置における前記カバーの角度に対応する角度で放射方向に間隔を開けて配置されているもの、を含み、前記短いローブおよび前記リーフばねの出っ張り部分は前記リーフばねの力によって前記カバーを閉じられた位置に固定し、かつ前記長いローブおよび前記リーフばねの出っ張り部分は前記リーフばねの力によって前記カバーを開かれた位置に固定し、前記カムは前記第１の空洞および前記第２の空洞内に軸方向にスライド可能である、前記ヒンジ、前記カムと前記カバーの間に前記第１の空洞内に配置された圧縮ばね、前記カムと接触するボタンであって、前記無線電話のユーザが前記ボタンを作動させた時、前記カムが軸方向にスライドすることにより前記短いローブが前記出っ張り部分から離れしたがって前記カバーを前記閉じられた位置から解除するもの、前記カバーに回転可能に固定されかつ前記本体部と回転不能に固定されたシャフト、そして２つの端部を有するトーションばねであって、一端は回転可能に前記シャフトに固定されかつ他端は回転可能に前記カバーに固定され、前記トーションばねは前記カバーを閉じられた位置から開かれた位置へと付勢し、かつ前記長いローブおよび前記リーフばねの出っ張り部分によって前記カバーが前記開かれた位置に固定されるものとすることができる。
【００１８】
【発明の実施の形態】
本発明の無線通信装置、すなわち、折りたたみ可能な携帯用無線電話１００、の例示的な実施形態が図１および図２に示されている。無線電話１００は基本的には２つの容易に明らかな部分、すなわち軸に沿って結合された本体部１０１およびカバー１０３、を有する。図１の図面は無線電話１００のユーザがイヤピース１０５を介して聴取しかつマイクロホン１０７に話すことができるように「開かれた」位置にあるカバー１０３を備えた無線電話１００の頭部、左および前方斜視図を示している。図２はカバー１０３が「閉じられた」位置にある無線電話１００の頭部、左および前方斜視図を示す。
【００１９】
本体部１０１はよく知られた電話配置の１〜０、＃および＊と番号付けられた複数のボタンを有するキーパッド１０９を含む。キーパッド１０９はまた、チャネル選択、音量制御、および電話番号の再呼び出しに関連する他のボタンのような、付加的な機能ボタンを持つことができる。本体部１０１はまた無線電話１００とセルラ無線電話システムのベースステーション（図示せず）との間で無線通信を可能にするアンテナ２０１を有する。本体部１０１はさらに無線電話１００を周辺装置、例えば、バッテリ充電器および外部アンテナ、キーパッド、スピーカ、またはマイクロホンと接続できるようにするポート１１１を含む。
【００２０】
図２に示されるように、カバー１０３は２つの実質的に平坦なハウジング部品、すなわち底部カバー１１７および頭部カバー１１９を含む。また、本体部１０１は本体部１０１上に一体的に形成されたナックル１１３，１１５を有する。
【００２１】
ヒンジ３０１は（底部カバー１１７を介して）カバー１０３を（ナックル１１３，１１５を介して）本体１０１に前記軸に沿って結合する。ヒンジ３０１の頭部、左、および前方分解斜視図である、図３に示されるように、ヒンジ３０１は２つの部分、すなわち解除および位置決め（ｒｅｌｅａｓｅ  ａｎｄ  ｐｏｓｉｔｉｏｎ）機構３０３および開放（ｏｐｅｎｉｎｇ）機構３０５、を有する。解除および位置決め機構３０３は圧縮ばね３０６、カム３０７、リーフばね３０９、およびボタン３１１を含む。開放機構３０５はトーションばね３１３およびシャフト３１７を含む。
【００２２】
回転軸に沿って見た無線電話１００の断面図でありカバー１０３が閉じられた位置にある、図４に示されるように、ナックル１１３には空洞３２５が設けられ、ナックル１１５には空洞４０５が設けられ、かつ底部カバー１１７には空洞４０３および空洞３３３が設けられている。解除および位置決め機構３０３は底部カバー１１７の一方の側に配置された、軸に沿って整列され、かつカバー１０３および本体部１０１に接触している。特に、解除および位置決め機構３０３は空洞３２５および空洞４０３内に配置されている。これに対し、開放機構３０５は底部カバー１１７の他方の側に配置された、軸に沿って整列され、かつカバー１０３および本体部１０１に接触している。特に、開放機構３０５は空洞４０５および空洞３３３内に配置されている。
【００２３】
ヒンジ３０１の設計は数多くの利点を提供する。後に詳細に説明するように、解除および位置決め機構３０３はカバー１０３が伝統的なラッチを使用することなくキーパッド１０９に対し閉じられた位置に固定できるようにする。従って、カバーを解除しかつ位置決めするための機構によって占有される無線電話１００上のスペースが最小になる。さらに、この設計はカバー１０３が開かれた位置で鈍角に（例えば、Θは１４８°に等しい）に維持できるようにし、かつカバー１０３が開かれた位置を越えて移動できるようにする（例えば、Θは１７６°に等しい）。解除および位置決め機構３０３によって提供される他の利点はカバー１０３がボタン３１１を押すことにより閉じられた位置から解除されるようにし、従ってユーザがカバー１０３を閉じられた位置から解除するために片手を使用することができるようにする。また、この設計は代わりにユーザがボタン３１１を使用することなくかつカバー１０３を閉じられた位置から解除する機構を破壊することなくユーザが手動でカバー１０３を閉じられた位置から解除できるようにする。
【００２４】
本発明の好ましい実施形態のさらに他の利点は開放機構３０５によって提供される。開放機構３０５は解除および位置決め機構３０３がカバー１０３を閉じられた位置から解除した後に閉じられた位置からカバー１０３を移動させるうえでばねの力による幇助を提供する。さらに開放機構３０５はまたカバー１０３を閉じられた位置から開かれた位置に移動するうえでばねの力による幇助を提供し、かつカバー１０３が開かれた位置に到達したときばね力を供給し続ける。従って、開放機構３０５および開放および位置決め機構３０３の反対の力はカバー１０３を開かれた位置に固定する。
【００２５】
この発明の詳細につき以下に説明し、本発明の好ましい実施例のカバー１０３、本体部１０１、解除および位置決め機構３０３、および開放機構３０５の構造および組立てから説明を始める。
【００２６】
カバー１０３および本体部１０１の一方の側に、解除および位置決め機構３０３が配置される。
【００２７】
図３および図４に示されるように、空洞３２５は底部カバー１１７の近くの大きな円筒形部分３２７、中間円筒形部分３２８、および大きな円筒形部分３２７と中間円筒形部分３２８の間に位置する小さな円筒形部分３２９を前記軸に沿って隣接して整列している。さらに、空洞３２５は大きな円筒形部分３２７に隣接して実質的に方形の部分３３１を有する。実質的に方形の溝３２３が小さな円筒形部分３２９の面上に形成されている。
【００２８】
図３に示されるように、解除および位置決め機構３０３はプラスチックから構成されるボタン３１１を含む。ボタン３１１は突出する、方形のアーム３１９を有する。各アーム３１９はアーム３１９の端部に配置されたかかり部（ｂａｒｂ）３２１を有する。図４に示されるように、アーム３１９は溝３２３内に位置し、該溝はアーム３１９およびラッチ用かかり部３２１を受け入れるような形状となっている。ボタン３１１は回転可能に固定されかつナックル１１３内で軸方向にスライド可能であり、かかり部３２１がボタン３１１の底部カバー１１７から外れる軸方向の動きを制限している。
【００２９】
解除および位置決め機構３０３はまた金属で構成されたリーフばね３０９を含む。リーフばね３０９は図４に示されるように、空洞３３１内に配置される。図９に示されるように、リーフばね３０９は、Ｕ字形状に、それ自身の上に折り返された細い、平坦な、方形形状の金属片であり長いレッグ部９０３および短いレッグ部９０２を形成している。短いレッグ部９０２の上に出っ張り９０１が形成されている。リーフばね３０９は長いレッグ部９０３およびＵ字形状の端部を方形部分３３１内に押し込むことによってナックル１１３に固定される。この位置では、短いレッグ部９０２は空洞３２５内で自由に曲げられる。
【００３０】
解除および位置決め機構３０３はさらに中実の（ｓｏｌｉｄ）金属で形成されたカム３０７を含む。カム３０７は、図３および図１１（図１１はカム３０７の正面図である）に示されるように、大きなシリンダ部１１０１および該大きなシリンダ部１１０１に隣接する小さなシリンダ部１１０３を有する。大きなシリンダ部１１０１はその表面上に実質的に大きなシリンダ部１１０１の高さに伸びた長いローブまたは突出部１１０５および大きなシリンダ部１１０１の高さより短く伸びた短いローブ１１０７が形成されている。長いローブ１１０５および短いローブ１１０７は前記開かれた位置におけるカバー１０３の鈍角に対応する角度で放射状または放射方向に間隔を開けている。
【００３１】
図４に示されるように、カム３０７は空洞３２５および空洞４０３内に配置されかつナックル１１３および底部カバー１１７の整列を確保する。カム３０７はこれらの空洞内で軸方向および回転可能に限界内でスライド可能である。
【００３２】
特に、小さなシリンダ１１０３は小さな円筒形部分３２９を通りかつ越えて伸びており、それによって小さなシリンダ１１０３の端部４１５はボタン３１１に接触している。端部４１５はボタン３１１と回転スライド可能に接触しており、かつ小さなシリンダ１１０３の表面は小さな円筒形部分３２９の面と軸方向にかつ回転可能にスライドできるよう接触している。さらに、小さな円筒形部分３２９内にボタン３１１および小さなシリンダ１１０３を配置構成することはカム３０７をナックル１１３に放射方向に固定する。
【００３３】
さらに、大きなシリンダ１１０１が大きな円筒形部分３２７および空洞４０３内に配置されている。大きなシリンダ１１０１は大きな円筒形部分３２７内で軸方向にスライド可能であるが、大きなシリンダ１１０１の端部４１７は小さな円筒形部分３２９の内部壁に当接し、従ってカム３０７のカバー底部１１７からの軸方向の移動を制限している。さらに、カバー底部１１７の右側正面図である、図８に示されるように、空洞４０３は大きなシリンダ１１０１の輪郭または外形に適合するような形状となっている。（図５はカバー底部１１７の頭部面図であり、図６はカバー底部１１７の正面図である。）大きなシリンダ１１０１および空洞４０３のこの構成はカム３０７を放射方向にかつ回転可能にカバー底部１１７に固定するが、カム３０７はカバー底部１１７内で軸方向にスライド可能である。
【００３４】
さらに、大きなシリンダ１１０１は大きな円筒形部分３２７内で回転スライド可能であるが、リーフばね３０９およびローブ１１０５，１１０７によって規定される回転限界を有する。ナックル１１３に沿って見た断面図でありカバー１０３が閉じられた位置にある、図９に示されるように、短いローブ１１０７が短いレッグ９０２と軸方向にかつ回転可能にスライドできるよう接触している。この閉じられた位置では、カバー１０３はリーフばね３０９の力によって短いローブ１１０７に対し閉じられた位置に固定されている。ナックル１１３に沿って見た断面図でありカバー１０３が開かれた位置にある、図１０に示されるように、長いローブ１１０５は短いレッグ９０２と回転可能にスライドできるよう接触している。この開かれた位置では、カバー１０３はリーフばね３０９の力によって長いローブ１１０５に対し閉じられた位置に保持されている。この結果を達成するのに必要なリーフばね３０９の力は十分に理解できる従来技術である。示されてはいないが、ボタン３１１が押圧されたとき、カム３０７はカバー底部１１７の方向に押しやられ、短いローブ１１０７が出っ張り９０１をクリアしかつ、カバー１０３が閉じられた位置から回転すると、短いローブ１１０７の端部はその回転の部分に対し短いレッグ９０２のエッジと回転可能にスライドできるよう接触している。
【００３５】
解除および位置決め機構３０３はさらにらせん形状とされかつ金属から構成される圧縮ばね３０６を含む。図４に示されるように、圧縮ばね３０６は空洞４０３内に配置されかつ空洞４０３と回転可能に接触している。圧縮ばね３０６の一端は空洞４０３の端部壁４０９と回転可能にスライドできるよう接触しており、かつ他端は大きなシリンダ１１０１の端部と回転可能にかつスライドできるよう接触している。
【００３６】
圧縮ばね３０６は底部カバー１１７から離れる方向にカム３０７に対して力を加え、従ってカバー１０３が開かれたまたは閉じられた位置にあるときカム３０７をナックル１１３に対するようバイアスする。さらに、圧縮ばね３０６はボタン３１１がユーザによって押圧されたときにカム３０７に加えられる力に対抗する。
【００３７】
解除および位置決め機構３０３の底部カバー１１７およびナックル１１３への組み込みにつき説明する。
【００３８】
ボタン３１１はナックル１１３内に挿入され、かつリーフばね３０９は方形部分３３１内に挿入される。圧縮ばね３０６は空洞４０３内に挿入され、かつカム３０７は空洞４０３内に挿入されて圧縮ばね３０６を端部４１５がほぼ底部カバー１１７と面一になるまで圧縮する。底部カバー１１７およびナックル１１３は整列され、かつ圧縮ばね３０６の力のもとで、カム３０７は空洞３２５内へ押圧される。
【００３９】
無線電話１００の他の側に、開放機構３０５が配置される。
【００４０】
図３、図４および図７（図７は底部カバー１１７の左側正面図である）に示されるように、空洞３３３は実質的に円筒形状でありかつ底部カバー１１７に設けられた隣接する空洞から空洞３３３を分割するプレート４１３を有する。また、空洞３３３は空洞３３３を規定する壁部の上に形成されたノッチ３３５を有する。プレート４１３には空洞３３３から隣接する空洞への通路を提供する開口７０１が設けられている。
【００４１】
開放機構３０５は金属から構成されかつ実質的にらせん形状のトーションばね３１３を含む。図４に示されるように、トーションばね３１３は空洞３３３内に配置されている。トーションばね３１３の端部における短い突出部またはスタブ（ｓｔｕｂ）３５１はトーションばね３１３の端部を底部カバー１１７に対し軸方向および回転可能に固定する。トーションばね３１３の他のらせん端部３５３は軸に実質的に平行に伸びるトレイル３４９で終端する。
【００４２】
開放機構３０５はまた単一片のプラスチックから構成されるシャフト３１７を含む。図３に示されるように、シャフト３１７は２つの隣接する部分、すなわち大きなシリンダ３３７および小さなシリンダ３３９を有する。大きなシリンダ３３７はその底部カバー１１７から遠い端部における面上に形成されたキー３４１、および底部カバー１１７により接近した端部近くのその面に形成された穴３４３を有する。大きなシリンダ３３７はさらにナックル１１５に面する端部３５５および底部カバー１１７に面する端部３５７を有する。
【００４３】
図４に示されるように、シャフト３１７は空洞３３３および空洞４０５内に配置されかつナックル１１５および底部カバー１１７の整列を確保する。シャフト３１７は空洞３３３内に軸方向かつ回転可能に限界内でスライドできるようになっておりかつ空洞４０５内で軸方向に限界内でスライド可能である。
【００４４】
特に、シャフト３１７は空洞４０５の端部壁によって底部カバー１１７から離れるよう移動する上で制限を受け、かつトーションばね３１３によって底部カバー１１７に向けて移動する上で制限を受ける。すなわち、大きなシリンダ３３７は空洞３３３および空洞４０５のおのおのの中に部分的に配置され、かつ小さなシリンダ３３９は空洞３３３内に位置している。さらに、小さなシリンダ３３９はトーションばね３１３の内側に位置し、らせん端３５３は端部３５７と接触している。また、テイル３４９は端部３５７内のウエル４１１（図示せず）の内側に配置されたテイル３４９によって大きなシリンダ３３７に回転可能に固定されている。
【００４５】
端部３５７は空洞３３３内にトーションばね３１３を圧縮する。その結果、トーションばね３１３はナックル１１５の方向に軸方向の力を加えこの力はシャフト３１７をナックル１１５内へ押圧する。さらに、トーションばね３１３は、後に詳細に説明するように、組立ての間に負荷をうけ、これはトーションばね３１３がカバー１０３を開かれた位置に移動するよう付勢するねじり力を底部カバー１１７に加える。
【００４６】
ナックル１１５は大きなシリンダ３３７およびキー３４１を受けるためにその周辺部に形成されたノッチ４１９（図示せず）を備えて実質的に円筒形状に形成された空洞４０５を有する。ノッチ４１９およびキー３４１はシャフト３１７をナックル１１５に回転不能に固定する。
【００４７】
トーションばね３１３のねじり力はカバー１０３を閉じられた位置に固定しあるいはカバー１０３を開かれた位置に保持する解除および位置決め機構３０３によって供給される力に打ち勝つことがないように選択される。さらに、前記ねじり力は解除および位置決め機構３０３が底部カバー１１７を閉じられた位置から解除したとき、トーションばね３１３が底部カバー１１７に対し十分な回転力を加えてカバー１０３を閉じられた位置から開かれた位置に回転させるように選択される。これらの結果を達成するのに必要なトーションばね３１３の回転力は従来技術で十分理解されている。
【００４８】
開放機構３０５の底部カバー１１７およびナックル１１５内への組込みにつき説明する。
【００４９】
解除および位置決め機構３０３がナックル１１３および底部カバー１１７内に組み立てられた後、テイル３４９がウエル４１１内に挿入される。トーションばね３１３およびシャフト３１７が空洞３３３内に挿入されかつスタブ３５１がプレート４１３の周りを包んでスタブ３５１をプレート４１３に固定するように配置される。トーションばね３１３は次にキー３４１がノッチ３３５と整列するまでシャフト３１７を時計方向に（ナックル１１５から底部カバー１１７を見た方向で）回転させることによりねじり力が負荷される。シャフト３１７が次に軸方向に空洞３３３内に移動され、トーションばね３１３を圧縮する。ホール３４３と係合するスロット３４７に挿入されたツール（図示せず）により、シャフト３１７は端部３５５が底部カバー１１７と面一になるまで空洞３３３内にさらに移動される。シャフト３１７は次にナックル１１５と整列され、キー３４１がナックル１１５内のノッチ（図示せず）と整列する。前記ツールはシャフト３１７を開放し、トーションばね３１３がシャフト３１７を空洞４０５内に押圧できるようにする。
【００５０】
次に無線電話１００の動作につき説明する。図２に示された、閉じられた位置では、カバー１０３は、開放機構３０５がカバー１０３を開かれた位置に付勢する回転力を供給していても、解除および位置決め機構３０３によって閉じられた状態に保持される。特に、図９に示されるように、リーフばね３０９が出っ張り９０１を短いローブ１１０７に対して押圧し、従って開放機構３０５によって供給される回転力に対抗している。その結果、カバー１０３は回転軸の末端に配置された伝統的なラッチを使用することなく閉じられた位置に固定される。従って、コンパクトな設計が達成される。
【００５１】
カバー１０３を開くためには、ボタン３１１が押圧され、この押圧は短いローブ１１０７がリーフばね３０９をクリアするまでカム３０７を底部カバー１１７に向けて軸方向に移動させる。従って、ユーザはカバー１０３を片手を使用して閉じられた位置から解除することができる。あるいは、ユーザは手動でカバー１０３を強制的に開くことができ、短いローブ１１０７が短いレッグ９０２をたわませかつ短いローブ１１０７が出っ張り９０１の上をスライドできるようにする。従って、ユーザは解除機構を損傷することなく閉じられた位置からカバー１０３を手動で開放する選択肢を有する。
【００５２】
カバー１０３が閉じられた位置から解除される方法にかかわりなく、短いローブ１１０７上にリーフばね３０９によって供給される反対の力なしには、開放機構３０５は底部カバー１１７を閉じられた位置から前記軸の回りに回転するよう付勢する。回転は長いローブ１１０５が出っ張り９０１に接触するまで続き、そこでカバー１０３は開かれた位置に保持される。
【００５３】
さらに、リーフばね３０９およびトーションばね３１３の組合わされた力はカバー１０３を開かれた位置に固定する。特に、シャフト３１７に回転可能に固定されたテイル３４９を有するトーションばね３１３は解き（ｕｎｗｉｎｄ）始める。したがって、スタブ３５１は回転し、底部カバー１１７を回転させる。底部カバー１１７の回転はカム３０７を回転させる。カム３０７の回転は長いローブ１１０５が、図１０に示されるように、出っ張り９０１に接触するまで続く。このポイントで、リーフばね３０９は出っ張り９０１を長いローブ１１０５に対して押圧し、したがって開放機構３０５で供給される回転力を妨げる。その結果、カバー１０３は開口機構３０５と解除および位置決め機構３０３の対抗する力によって開かれた位置に固定される。
【００５４】
さらに、ユーザはカバー１０３の開かれた位置を超えての回転を続けることができ、長いローブ１１０５が短いレッグ９０２をたわませかつ長いローブ１１０５が出っ張り９０１を超えてスライドできるようにする。したがって、カバー１０３は行き過ぎることができる。
【００５５】
【発明の効果】
したがって、本発明にしたがって構成されたこの実施形態は知られた技術に対し数多くの利点を提供し、例えば、カバー１０３のボタン作動される解除の便宜を与え、ボタン作動の解除または手動でカバー１０３を開くことを選択する選択肢をユーザに与え、かつコンパクトな設計を提供する。
【００５６】
当業者は本発明の精神および範囲から離れることなく本発明の無線電話においてかつこの無線電話の構造において種々の修正および変更を成すことができることを認識するであろう。例えば、他の形式の開放機構を前記開放機構３０５と置き換えることができる。また、前記開放機構３０５はアイドラシャフト（ｉｄｌｅｒ  ｓｈａｆｔ）および重力、または他の力によって置き換えてカバー１０３を開かれた位置から閉じられた位置に付勢することができる。圧縮ばね３０６およびトーションばね３１３は、それぞれ、必要な圧縮およびねじり力を提供する他のばね要素で置き換えることができる。ヒンジ３０１の要素は任意の適切な材料、例えば、プラスチックまたは金属とすることができる。また、ヒンジ３０１の要素を整列させかつ固定する手段、例えば、キー３４１、ローブ１１０５，１１０７、スタブ３５１、テイル３４９、出っ張り９０１、またはバーブ３２１、は他の適切な形状および方法とすることができる。キーイング要素の位置はヒンジ要素の協働によって無線電話１００の所望の開かれたおよび閉じられた位置を生じさせる限り変えることができる。
【図面の簡単な説明】
【図１】本発明にしたがって構成された無線電話を開かれた位置で示す頭部、左、および前方斜視図である。
【図２】本発明にしたがって構成された、図１に示される無線電話を閉じられた位置で示す頭部、左、および前方斜視図である。
【図３】本発明にしたがって構成された、図２に示される無線電話のヒンジを示す頭部、左、および前方分解斜視図である。
【図４】図２に示される無線電話の回転軸に沿って見た断面図である。
【図５】図３に示される底部カバーを示す頭部面図である。
【図６】図３に示される底部カバーを示す正面図である。
【図７】図３に示される底部カバーを示す左側面図である。
【図８】図３に示される底部カバーを示す右側面図である。
【図９】図２に示される無線電話のナックルに沿って見た断面図である。
【図１０】図１に示される無線電話のナックルに沿って見た断面図である。
【図１１】図３に示されるカムの正面図である。
【符号の説明】
１００  無線電話
１０１  本体部
１０３  カバー
１０５  イアピース
１０７  マイクロホン
１０９  キーパッド
１１１  ポート
２０１  アンテナ
３０１  ヒンジ
３０３  解除および位置決め機構
３０５  開放機構
３０６  圧縮ばね
３０７  カム
３０９  リーフばね
３１１  ボタン
３１３  トーションばね
３１７  シャフト
３２５，３３３，４０３，４０５  空洞
９０１  出っ張り
１１０５  長いローブ
１１０７  短いローブ
【図１】
0003644760.tif 000002
【図２】
0003644760.tif 000003
【図３】
0003644760.tif 000004
【図４】
0003644760.tif 000005
【図５】
0003644760.tif 000006
【図６】
0003644760.tif 000007
【図７】
0003644760.tif 000008
【図８】
0003644760.tif 000009
【図９】
0003644760.tif 000010
【図１０】
0003644760.tif 000011
【図１１】
0003644760.tif 000012